(57)【特許請求の範囲】
【請求項１】
光学系により結像した被写体像を光電変換して画像信号を出力する撮像手段と、
上記撮像手段より出力された画像信号に所定の処理を施して画像情報を生成する画像情報生成手段と、
上記画像情報生成手段によって生成された画像情報を画像として再生可能な如く記録媒体に記録する記録手段と、
上記記録媒体の状態を判定するための媒体状態判定手段と、
自己と通信可能に接続されたプリンタの状態を判定するためのプリンタ状態判定手段と、
上記記録媒体に係る状態についての警告を行わせる警告手段と、
を具備し、
上記媒体状態判定手段によって上記記録媒体への画像情報の記録が不可能であると判定され、且つ、上記プリンタ状態判定手段によって上記プリンタによるプリント動作が可能であると判定された場合に、上記画像情報生成手段によって生成された画像情報を上記プリンタにのみ供給して所定のプリント動作を実行させると共に、上記警告手段によって上記記録媒体に係る状態についての警告を行わせるようにしたことを特徴とするカメラ。
【請求項２】
自己と通信可能に接続されたプリンタは、カメラ本体に内蔵されている内蔵プリンタ、または、カメラ本体とは別に設けられた外部プリンタであることを特徴とする請求項１に記載のカメラ。
【発明の詳細な説明】
【０００１】
【発明の属する技術分野】
本発明は、カメラ、より詳しくは、撮像した画像をプリンタへ送信するカメラに関する。
【０００２】
【従来の技術】
従来より、プリンタを備えたカメラは種々のものが知られているが、こうした従来のプリンタを備えたカメラは、単に撮像した画像を自動的にまたは操作者の入力に応じてプリントするというものであった。
【０００３】
このような従来のプリンタ付きカメラによれば、プリンタの状態を考慮してプリントをしているものの、画像を記録する記録媒体に対してまで配慮するものとはなっておらず、総合的または適応的な判断は行っていない。
【０００４】
そのために、例えばプリンタの状態がプリント可能となっていない場合や、あるいは記録媒体が装着されていない場合には、即座に撮影を実行することができず、重要なシャッタチャンスを逃がしてしまう可能性があった。
【０００５】
また、従来のプリンタを内蔵するカメラは、そのまま外部プリンタに接続することができるようには構成されていなかったために、内部プリンタと外部プリンタを選択するについては考慮されていなかった。
【０００６】
さらに、従来のカメラでは、プリントを行うかどうかは、プリンタ電源のオン／オフ状態やプリンタとの接続がオンラインであるかオフラインであるかなどにより選択するようになっていたために、電源オンまたはオンラインのときは撮影後に必ず画像のプリントを行ってしまい、通常は数秒以上かかるプリント実行時間中には撮影を行うことができず、シャッタチャンスを逃してしまうことがあった。
【０００７】
プリンタ電源がオフになっているかまたはオフラインであるときには、撮影後に画像をプリントしようとすると、まず電源をオンする動作と、次にプリント操作する動作との少なくとも２段階の操作を行わなければならず、必要とされる操作回数が多くなって、やはりシャッタチャンスを逃してしまうことがあった。
【０００８】
また、従来のカメラでは、紙送りスイッチはその操作により任意量または一定量だけ用紙を送るようになっているが、画像の余白にメモ欄を設けようとするときに任意量送りにより用紙を送ると、送り量を画像毎に一定に揃えるのが困難であり、メモ欄として美しくなく整理しにくいものとなってしまっていた。また、紙送りしすぎて無駄が出ることもあった。一方、一定量送りを行うと、紙交換時にやはり用紙を無駄にすることがあった。さらに、紙送りを行っているときには、時間を要するために、シャッタチャンスを逃してしまうことがあった。
【０００９】
ところで、従来は、カメラの取り扱いに関しては、印刷物の取扱説明書を用意していた。しかし、印刷物の取り扱い説明書は、その大きさと重量の点から持ち歩きに不便であり、特に携帯機器であるカメラでは現実的には持ち歩くことは不可能であった。しかし、近年のカメラは多機能になっていて、操作や機能が複雑であるために、取扱説明書がないと特殊機能を使いこなすのは容易ではなかった。
【００１０】
そして、従来のカメラにおいては、カメラの各種状態を該カメラに設けられた表示素子に表示していたが、表示する情報量が多いために、カメラの表示素子は多くの情報を同時に表示することができず、見難いものとなっていた。また、大規模な表示素子は高価であり、その大きさも大きいために、携帯機器であるカメラに搭載するのは困難である。
【００１１】
これに対して、カメラをパソコン等の外部機器に接続して、カメラの各種状態をモニタに表示させて把握する提案もなされているが、パソコンが必要であるためにカメラを持ち歩いている状態では表示を行えず、また操作に手間がかかるという難点がある。
【００１２】
【発明が解決しようとする課題】
上述のように、従来のカメラでは、カメラや記録媒体やプリンタなどの状態を総合的に判断して最適な動作を選択して実行するものとはなっていなかった。
【００１３】
本発明は上記事情に鑑みてなされたものであり、媒体やプリンタの状態を判断して最適な動作を選択して実行することができるカメラを提供することを目的としている。
【００１４】
【課題を解決するための手段】
上記の目的を達成するために、本発明のカメラは、光学系により結像した被写体像を光電変換して画像信号を出力する撮像手段と、上記撮像手段より出力された画像信号に所定の処理を施して画像情報を生成する画像情報生成手段と、上記画像情報生成手段によって生成された画像情報を画像として再生可能な如く記録媒体に記録する記録手段と、上記記録媒体の状態を判定するための媒体状態判定手段と、自己と通信可能に接続されたプリンタの状態を判定するためのプリンタ状態判定手段と、上記記録媒体に係る状態についての警告を行わせる警告手段と、を具備し、上記媒体状態判定手段によって上記記録媒体への画像情報の記録が不可能であると判定され、且つ、上記プリンタ状態判定手段によって上記プリンタによるプリント動作が可能であると判定された場合に、上記画像情報生成手段によって生成された画像情報を上記プリンタにのみ供給して所定のプリント動作を実行させると共に、上記警告手段によって上記記録媒体に係る状態についての警告を行わせるようにしたことを特徴とする。
【００２０】
【発明の実施の形態】
以下、図面を参照して本発明の実施の形態を説明する。
図１から図１７は本発明の一実施形態を示したものであり、図１はこのカメラ全体の構成を示すブロック図である。
【００２１】
被写体１の像は、レンズ制御手段３によりフォーカス，絞り，シャッタを制御された光学系たるレンズ２を通って、撮像手段たるＣＣＤ４に結像され、そこで光電変換された後に記録再生手段を構成する撮像部６に出力される。この撮像部６で処理された出力は、記録再生手段を構成する８ビットＡ／Ｄ変換器７によりアナログ信号からデジタル信号に変換されて、記録再生手段を構成する中間メモリ１２に送られるとともに、白バランス回路８，露出制御回路９，フォーカス制御回路１０にも送出される。
【００２２】
これら白バランス回路８，露出制御回路９，フォーカス制御回路１０は、後述する制御手段，媒体状態判定手段，プリンタ状態判定手段，カメラ状態判定手段を兼ねたＣＰＵ２３により制御されるようになっている。
【００２３】
上記白バランス回路８の結果は、上記撮像部６へ出力される。
【００２４】
上記露出制御回路９の出力は、上記ＣＣＤ４を駆動するＣＣＤ駆動回路５に入力されて、素子シャッタの制御が行われるようになっている。
【００２５】
この露出制御回路９の出力は、さらに上記レンズ制御手段３に入力されて絞りおよびシャッタの制御が行われるとともに、ストロボ１１にも入力されて制御が行われるようになっている。
【００２６】
上記フォーカス制御回路１０の出力は、上記レンズ制御手段３に入力されて、フォーカス制御がされるようになっている。
【００２７】
また、上記中間メモリ１２の出力は記録再生手段を構成する圧縮回路１３へ送られて、この圧縮回路１３では、入力された画像データを１／８以下のデータ量に圧縮する。
【００２８】
そして、この圧縮回路１３の出力は、接続手段たるカードインタフェース（カードＩ／Ｆ）１４を介して、カメラに着脱可能に装着されている記録媒体たるメモリカード１５へ記録される。このメモリカード１５は、上記カードインタＩ／Ｆ１４を介してＣＰＵ２３と接続されており、該ＣＰＵ２３によりメモリカード１５の管理や制御が行われるようになっている。
【００２９】
このメモリカード１５に記録された画像は、上記カードＩ／Ｆ１４を通って記録再生手段を構成する伸長回路１６に入力される。この伸長回路１６では、メモリカード１５に記録されている画像データの形式によりデータが復調されて、中間メモリ１２に入力される。なお、後述する２値画像の場合は、この伸長回路１６では何もせずに、そのまま中間メモリ１２に画像を送るようになっている。
【００３０】
一方、上記メモリカード１５の２値画像は、カードＩ／Ｆ１４と接続手段たるプリンタインタフェース（プリンタＩ／Ｆ）１８を介して、外部プリンタ２０や内部プリンタ１９に出力されるようになっている。これらのプリンタ１９，２０は、上記プリンタＩ／Ｆ１８を介してＣＰＵ２３に接続されており、ＣＰＵ２３はプリンタ状態の判定や制御を行う。
【００３１】
上記中間メモリ１２の出力は、疑似中間調２値化回路１７ａと単純２値化回路１７ｂとを有して構成されている２値化回路により２値化処理されて、カードＩ／Ｆ１４とプリンタＩ／Ｆ１８に出力されて、それぞれメモリカード１５、プリンタ１９，２０に送られるようになっている。この２値化回路は、ＣＰＵ２３により２値制御されるとともに、該ＣＰＵ２３によりガンマ制御されている２値化ガンマ設定回路２２に接続されている。
【００３２】
上記疑似中間調２値化回路１７ａは、誤差拡散法等の２値化で階調を表現したい自然画の２値化に用いられるものである。
【００３３】
上記中間メモリ１２の出力は、他方で像検出回路２１へ出力されて、画像の種類が何であるか、つまり、自然画か文字画か、文字画は白下地か黒下地か等を検出される。
【００３４】
この検出結果はＣＰＵ２３に入力されて、２値モードの判定が行われ、その判定結果は、ＣＰＵ２３から単純２値化回路１７ｂへ入力されて制御が行われるようになっている。
【００３５】
上記ＣＰＵ２３は、他にも、カメラの状態等を表示する警告手段たるＬＣＤ２４を制御し、取扱説明書をデータとして有する取説データメモリ２５の出力が入力されるとともに、さらに、各種操作スイッチ２６から入力されるようになっている。
【００３６】
上記操作スイッチ２６には、カメラの電源を操作する電源スイッチ、撮影等の開始を指示する２段スイッチでなるトリガ信号発生手段たるトリガスイッチ、カメラの記録再生モードを切り換えるＲＥＣ／ＰＬＡＹスイッチ、撮影後にすぐにプリントアウトするかどうかを切り換える即プリントオン／オフスイッチ、２値化のモードを切り換える像モードスイッチ、プリンタ用紙の種類を設定する用紙種類スイッチ、メモリカードに記録するデータの形式を切り換える２値／多値スイッチ、取扱説明書をプリントする取説スイッチ、プリントアウトを指示するプリントスイッチ、カメラシステムの状態をプリントする状態プリントスイッチ、任意量送りと一定量送りを指示することが可能な紙送りスイッチ、濃度補正スイッチ等がある。
【００３７】
図２は、内部プリンタ１９または外部プリンタ２０のプリンタ部の構成を示すブロック図である。
【００３８】
カメラ部の画像データ系、制御データ系をインタフェースするインタフェース部３１から出力された画像データは、プリンタＣＰＵ３８により制御されるプリント制御部３２に入力されて、サーマルヘッド３３を制御するようになっている。
【００３９】
このサーマルヘッド３３は、その温度をサーミスタ等により検出されて、プリンタＣＰＵ３８に送出されるようになっている。
【００４０】
用紙である感熱紙３４を検出するための紙検出センサ３９の出力は、ＣＰＵ３８に入力される。
【００４１】
送り出された感熱紙３４を挟んで上記サーマルヘッド３３と対向する位置には、プラテンローラ３５が設けられており、このプラテンローラ３５をヘッドアップダウンレバー３６によって移動させることにより、サーマルヘッド３３を感熱紙に密着させるようになっている。
【００４２】
このヘッドアップダウンの状態は、ヘッドアップダウンレバー３６に設けられた図示しないセンサにより検出されて、ＣＰＵ３８に入力されるようになっている。
【００４３】
上記サーマルヘッド３３に印加された画像信号に対応する画像パターンは、その画像パターンに応じて発色されて、感熱紙３４に記録されるようになっている。
【００４４】
上記感熱紙３４の送り量は、紙送り制御部３７を介してＣＰＵ３８により制御されている。
【００４５】
プリンタの各状態は、ＣＰＵ３８と制御データ系で結ばれているインタフェース部３１を介して、カメラ部のＣＰＵ２３に通信されるようになっている。
【００４６】
図３はカメラに設けられた紙送りスイッチの配置を示す斜視図である。
【００４７】
このカメラは、高さｈ，幅ｗ，奥行きｄでなり、被写体に向かう側にレンズ２とファインダ窓４１と上記ストロボ１１の光射出窓となるストロボ窓１１ａとが設けられている。
【００４８】
また、カメラの上面には、開閉可能な開閉蓋４０（図４参照）とその側部に上記操作スイッチ２６のトリガスイッチが内部に設けられているトリガボタン４２とが配設されており、この開閉蓋４０上には、上記ＬＣＤ２４と、上記操作スイッチ２６の各スイッチが設けられている各ボタン４３とが配設されていて、これらボタン４３の内の一つがメモ量送りスイッチに対応するメモ量送りボタン４３ａとなっている。
【００４９】
また、上記開閉蓋４０が曲折されてカメラの側面となっている側には、出力紙３４ａが排出される細長の孔でなる紙排出孔４５が穿設され、その例えば左側近傍には上記操作スイッチ２６の内の一つである任意量送りスイッチに対応する任意量送りボタン４４が配設されている。
【００５０】
そして、上記開閉蓋４０の下側となるカメラの側面には、ＤＣ電源ジャック４６と、上記メモリカード１５を挿入するためのカード挿入孔４７と、外部接続コネクタ挿入口４８とが設けられている。
【００５１】
こうしてこのカメラにおいては、トリガボタン４２が設けられている面と同じ面において、操作を確認するＬＣＤの近傍の部分にメモ量送りボタン４３ａを設けるとともに、プリンタ用紙が出力される紙排出孔４５の近傍に任意量送りボタン４４を配設している。
【００５２】
次に、図４は、上記図３のカメラにおいて、任意量送りとメモ量送りの機能を１つの紙送りスイッチで兼用した例を示す斜視図である。
【００５３】
このカメラは、図示のように、内部にロール状に収納されている感熱紙３４が、本体側の紙排出孔４５ａと開閉蓋４０の紙排出孔４５を介して外部に排出されるようになっており、紙排出孔４５の近傍に孔４９が穿設され、開閉蓋４０を閉じた際にこの孔４９に対向する紙排出孔４５ａの近傍となる位置に、紙送りスイッチに対応する紙送りボタン４４ａが設けられている。この紙送りボタン４４ａは、開閉蓋４０の開閉状態を検出する図示しない検出器の出力に応じて、その機能が切り換わるようになっている。
【００５４】
すなわち、紙送りボタン４４ａ内の紙送りスイッチは、図４に示すように開閉蓋４０が開けられると任意量送りスイッチとして機能し、一方、開閉蓋４０を閉じた状態（図３参照）ではメモ量送りスイッチとして機能するようになっている。
【００５５】
図５はカメラのメインルーチン動作を示すフローチャートである。
【００５６】
このメインルーチンは、操作スイッチ２６の内の電源スイッチがオンすることによってスタートする（ステップＳ１）。
【００５７】
まず、イニシャル処理において、レンズ制御手段３によりレンズ２を初期位置まで駆動し、各種レジスタの初期設定を行う（ステップＳ２）。
【００５８】
次に、ＲＥＣ／ＰＬＡＹスイッチの状態を検出して、カメラがＲＥＣモード（記録モード）とＰＬＡＹモード（再生モード）の何れのモードに切り換えられたかを判定する（ステップＳ３）。
【００５９】
ここでＰＬＡＹモードに切り換えられた場合には、後述する再生処理を行ってから（ステップＳ４）、続くステップＳ５に行く。
【００６０】
また、ＲＥＣ／ＰＬＡＹスイッチによりＲＥＣモードに切り換えられた場合は、後で詳しく説明するように、プリンタ状態の判定を行い（ステップＳ５）、メモリカード１５等の記録媒体の状態判定を行ってから（ステップＳ６）、各種スイッチの処理を行う（ステップＳ７）。
【００６１】
そして、操作スイッチ２６のトリガスイッチの１段目が押されているかどうかをチェックして（ステップＳ８）、押されていない場合には、上記ステップＳ３に戻って上述の動作を繰り返す。
【００６２】
一方、トリガスイッチの１段目が押されている場合は、自動露出（ＡＥ）、オートフォーカス（ＡＦ）、オートホワイトバランス（ＡＷＢ）の動作を行う（ステップＳ９）。
【００６３】
これらのＡＥ、ＡＦ、ＡＷＢは、その詳細はフローチャートには示さないが、一般的な自動露出と、山登り方式等のＡＦと、画像全体の色データが白になるような制御を行うＡＷＢとを行う動作である。
【００６４】
また、これらのＡＥ、ＡＦ、ＡＷＢの動作は状態判定を含んでおり、カメラ状態が判定されることになる。
【００６５】
すなわち、ＡＥエラーとしては、適正露光とならないことが判定される。この適正露光とならない場合とは、１．明るすぎ、２．暗すぎ、３．暗いがストロボ発光することができない場合、４．暗くて手触れ限界を越えている場合等がある。
【００６６】
また、ＡＦエラーとしては、ピントが合わない場合になり、１．近すぎである場合、２．フォーカスを合わせるためのパターンがない場合等がある。
【００６７】
さらに、ＡＷＢエラーとしては、白バランスが取れない場合に起こり、これは、設定色温度範囲を越えている場合等がある。
【００６８】
図５の説明に戻って、プリンタ状態の判定を再び行い（ステップＳ１０）、記録媒体の状態判定を再び行って（ステップＳ１１）、これらの判定結果に応じて状態判定を行う（ステップＳ１２）。
【００６９】
この状態判定は、後述する表１の状態１から状態９に分別されて判定される。このステップＳ１２における判定結果が状態７または状態８であるときは、上記ステップＳ３に戻って上述の動作を繰り返す。
【００７０】
また、ステップＳ１２において、判定結果が状態１から状態６または状態９であるときには、操作スイッチ２６のトリガスイッチの２段目がオンかオフかを判定し（ステップＳ１３）、オフである場合は、トリガスイッチの１段目がオンのままであるかどうかを判定する（ステップＳ１４）。
【００７１】
トリガスイッチの１段目が離されている場合は上記ステップＳ３に戻り、一方、トリガスイッチの１段目が押されている場合には、上記ステップＳ１０に戻ってトリガスイッチの２段目が押されるのを待機する。
【００７２】
そして、上記ステップＳ１３においてトリガスイッチの２段目が押されたことが検出された場合には、後で詳細に説明するＲＥＣ処理を行う（ステップＳ１５）。
【００７３】
このＲＥＣ処理が終了したら、トリガスイッチの１段目が離されるのを待機して（ステップＳ１６）、トリガスイッチの１段目が離されると、上記ステップＳ３に戻って同様の処理を繰り返す。
【００７４】
次に、図６は上記ステップＳ５のプリンタ状態判定についての詳細を示すフローチャートである。
【００７５】
このプリンタ状態判定の動作が始まると（ステップＳ２１）、まず内部プリンタ１９と通信を行う（ステップＳ２２）。この通信は、より具体的には、カメラＣＰＵ２３からプリンタＣＰＵ３８にプリンタ状態の問い合わせを行い、それに対してプリンタ状態を返してもらうことにより行う。
【００７６】
また、同様にして、外部プリンタ２０との通信を行う（ステップＳ２３）。
【００７７】
そして、上記ＬＣＤ２４にこれらプリンタの状態表示、具体的にはプリンタでエラーがあればエラー表示を行う（ステップＳ２４）。
【００７８】
このプリンタエラーとは、
（１）サーマルヘッド３３が異常に高温になっているとき
（２）ヘッドアップ・ダウンレバー３６がアップ状態になっていて、サーマルヘッド３３と感熱紙３４がプリント状態になっていないとき
（３）感熱紙３４がない場合
（４）外部プリンタ２０が接続されていないとき
（５）外部プリンタ２０の電源が入っていないとき
などである。
【００７９】
そして、その後リターンする（ステップＳ２５）。
【００８０】
次に、図７は上記ステップＳ６の媒体状態判定の詳細を示すフローチャートである。
【００８１】
この媒体状態判定が始まると（ステップＳ３１）、まず記録媒体、つまりここではメモリカード１５が存在するか否かを判定する（ステップＳ３２）。
【００８２】
記録媒体がない場合には、例えば４桁に渡る横バー表示”−−−−”を行って、記録媒体が存在しないことを示して（ステップＳ３３）、後述するステップＳ３９へ行く。
【００８３】
一方、記録媒体が存在する場合には、フォーマットが済んでいるか否かを判定して（ステップＳ３４）、未フォーマットである場合には、４桁の０表示”００００”を行って、フォーマットがされていないことを警告して（ステップＳ３５）、後述するステップＳ３９へ行く。
【００８４】
また、記録媒体が既にフォーマットされている場合は、記録可能領域があるかどうかを判定して（ステップＳ３６）、全ての領域で既に記録が行われており、空領域がない場合には、フル表示”ＦＵＬＬ”をして警告を行って（ステップＳ３７）、後述するステップＳ３９へ行く。
【００８５】
記録媒体に記録可能領域がある場合は、次の記録可能領域の表示を行って（ステップＳ３８）、その後リターンする（ステップＳ３９）。
【００８６】
以上のようにして、記録媒体が記録可能であるか否かの判定を行う。つまり、記録媒体がカメラに装着されていて、かつフォーマットが済んでおり、さらに記録可能領域がある場合にのみ、記録媒体が記録可能であると判定される。
【００８７】
図８は上記ステップＳ１５のＲＥＣ処理の詳細を示すフローチャートである。
【００８８】
このＲＥＣ処理が始まると（ステップＳ４１）、まず、設定された内容に従って画像濃度を変更する濃度補正の処理を行う（ステップＳ４２）。
【００８９】
続いて、シャッタ制御やストロボ制御、撮影画像の中間メモリ１２への書き込み等を行う撮影処理を行う（ステップＳ４３）。
【００９０】
次に、画像の特徴に合った各種２値化処理を設定する処理である２値モード設定を行う（ステップＳ４４）。この２値モード設定は、より具体的には、像モードがオート（ＡＵＴＯ）である場合に、画像の特徴が自然画であると判定されたときは疑似中間調２値化回路１７ａを設定し、一方、文字画であると判定されたときには単純２値化回路１７ｂを設定する。また、像モードがマニュアルである場合にはその設定に従う。
【００９１】
そして、操作スイッチ２６の即プリントスイッチがオンかオフかを判定し（ステップＳ４５）、即プリントスイッチが押されていない場合には後述するステップＳ５２に進み、一方、押されている場合には後述する表１に基づいて状態判定を行う（ステップＳ４６）。
【００９２】
ここで、状態が４であるときは後述するステップＳ５２に進み、一方、状態が１，３，５，９であるときは２値ガンマ（γ）設定を実行し（ステップＳ４７）、外部プリンタ２０により画像をプリントした（ステップＳ４８）後に、後述するステップＳ５１に進む。
【００９３】
また、上記ステップＳ４６において、状態が２または６であると判定された場合は、２値ガンマ（γ）を設定し（ステップＳ４９）、内部プリンタ１９で画像をプリントする処理を行う（ステップＳ５０）。
【００９４】
そして、後述する表１に基づいて再び状態判定を行い（ステップＳ５１）、状態が５，６または９であると判定された場合には、後述するステップＳ５４に進む。
【００９５】
また、状態が１，２または３であると判定された場合は、メモリカード１５が使える状態であるために、該メモリカード１５に画像を記録し（ステップＳ５２）、さらに属性情報を記録して（ステップＳ５３）、リターンする（ステップＳ５４）。
【００９６】
ここで、上記ステップＳ１２，Ｓ４６，Ｓ５１などで行われる状態判定について、表１を参照して説明する。
【００９７】
【表１】
0003828190.tif 000002
この表１では、ＡＥ，ＡＦ，ＡＷＢ等のカメラ状態、外部プリンタ２０の状態、内部プリンタ１９の状態、記録媒体（ここではメモリカード１５）の状態、のそれぞれについて、良好である場合には○（ＯＫ）を、良好でない場合には×（ＮＧ）をそれぞれ記している。
【００９８】
これらの各状態がＯＫであるかＮＧであるかについては、上述したような状態判定により行われる。
【００９９】
そして、これら各状態の内の１つでもＮＧの条件がある場合には、そのカメラ状態は×であるということに規定している。
【０１００】
また、ＡＥ，ＡＦ，ＡＷＢは、すべてＯＫであるときに○としているが、カメラにおける撮影条件の考え方として、多少のＮＧ条件があったとしてもシャッタチャンスを優先して撮影させるという方法もある。例えば、暗すぎて適正露光ではない場合でも、暗いまま撮影してしまうといったような場合がその一例である。この場合には、表１の状態８の欄は設ける必要がないことになる。
【０１０１】
状態１は、カメラ状態、外部プリンタ２０、内部プリンタ１９、記録媒体の全てについてＯＫとなる状態である。
【０１０２】
状態２は、カメラ状態、内部プリンタ１９、記録媒体はＯＫであるが、外部プリンタ２０についてはＮＧとなる状態である。
【０１０３】
状態３は、カメラ状態、外部プリンタ２０、記録媒体はＯＫであるが、内部プリンタ１９についてはＮＧとなる状態である。
【０１０４】
状態４は、カメラ状態、記録媒体はＯＫであるが、外部プリンタ２０、内部プリンタ１９についてはＮＧとなる状態である。
【０１０５】
状態５は、カメラ状態、外部プリンタ２０はＯＫであるが、内部プリンタ１９、記録媒体についてはＮＧとなる状態である。
【０１０６】
状態６は、カメラ状態、内部プリンタ１９はＯＫであるが、外部プリンタ２０、記録媒体についてはＮＧとなる状態である。
【０１０７】
状態７は、カメラ状態のみはＯＫであるが、外部プリンタ２０、内部プリンタ１９、記録媒体についてはＮＧとなる状態である。
【０１０８】
状態８は、カメラ状態がＮＧであるために、画像の取り込みが行えず、他の外部プリンタ２０、内部プリンタ１９、記録媒体についてはその状態を問わない場合（表１においてはこれを”−”として示した）である。
【０１０９】
状態９は、カメラ状態、外部プリンタ２０、内部プリンタ１９はＯＫであるが、記録媒体についてはＮＧとなる状態である。
【０１１０】
こうして、これらの表１に示した状態１から状態９に基づいて、カメラの動作が制御される。
【０１１１】
例えば、状態１は、全部が○となっている。このときは、図８のステップＳ４６において状態１であると判定されてステップＳ４７，Ｓ４８に進み、外部プリンタ２０により画像をプリントして、その後ステップＳ５１で再び状態１であると判定されて、ステップＳ５２，Ｓ５３でメモリカード１５に画像を記録する。これにより、トリガ後にプリントして記録媒体に記録を行うことになる。
【０１１２】
また、状態７は、カメラ条件のみがＯＫで他はＮＧとなる場合であり、この場合には、図５のステップＳ１２においてトリガスイッチの２段目の受付を行わないことになるために、撮影が禁止されることになる。このステップＳ１２においては、状態８の場合にも同様に撮影が禁止される。
【０１１３】
図９は上記図３のメインルーチンのステップＳ４の再生処理の詳細を示したフローチャートである。
【０１１４】
この再生処理が始まると（ステップＳ６１）、まず、操作スイッチ２６の紙送りスイッチが押されているかどうかを判定し（ステップＳ６２）、押されている場合には、紙送り処理を実行する（ステップＳ６３）。
【０１１５】
紙送りスイッチが押されていない場合、または上記ステップＳ６３の紙送り処理が終了した場合には、操作スイッチ２６の濃度補正スイッチが押されているかどうかを判定し（ステップＳ６４）、押されている場合には濃度補正量の設定を行う（ステップＳ６５）。
【０１１６】
濃度補正スイッチが押されていない場合、または上記ステップＳ６５の濃度補正量の設定が終了した場合には、プリンタ状態の判定を行う（ステップＳ６６）。
【０１１７】
そして、表１に基づいた状態判定を行い（ステップＳ６７）、状態が４または７である場合には後述するステップＳ７２に進んで記録モードに戻り、状態が４でも７でもないと判定された場合は、メモリカード１５の有無を検出する（ステップＳ６８）。
【０１１８】
メモリカード１５がない場合には、電源をオンした後に撮影が行われたか否かを判定し（ステップＳ６９）、撮影がされていない場合は、中間メモリ１２上に画像は記録されていないので、後述するステップＳ７２に進んで記録モードに戻る。
【０１１９】
一方、上記ステップＳ６９において撮影が行われていたと判断された場合には、操作スイッチ２６のプリントスイッチがオンかオフかを判定する（ステップＳ７０）。
【０１２０】
プリントスイッチが押されていない場合は、操作スイッチ２６のＲＥＣ（記録）モードとＰＬＡＹ（再生）モードを切り替えるＲＥＣ／ＰＬＡＹスイッチの状態を判定し（ステップＳ７１）、ＰＬＡＹモードである場合には上記ステップＳ６２に戻り、ＲＥＣモードである場合にはリターンして記録モードに戻る（ステップＳ７２）。
【０１２１】
また、上記ステップＳ７０においてプリントスイッチが押されている場合には、２値モードの設定を行い（ステップＳ７３）、表１に基づいて状態判定を行って（ステップＳ７４）、内部プリンタ１９によるプリント処理と、外部プリンタ２０によるプリント処理の何れを実行するかを判定する。
【０１２２】
すなわち、状態が１，３，５，９の何れかである場合は、２値ガンマ（γ）を設定して（ステップＳ７５）、濃度補正を行い（ステップＳ７６）、中間メモリ１２の画像を外部プリンタ２０によりプリントして（ステップＳ７７）、上記ステップＳ６２に戻り処理を繰り返す。
【０１２３】
一方、上記ステップＳ７４において状態判定が２，６の何れかである場合は、２値ガンマ（γ）を設定して（ステップＳ７８）、濃度補正を行い（ステップＳ７９）、中間メモリ１２の画像を内部プリンタ１９によりプリントして（ステップＳ８０）、上記ステップＳ６２に戻り処理を繰り返す。
【０１２４】
また、上記ステップＳ６８において、メモリカード１５がある場合には、このメモリカード１５のデータを再生してプリントアウトをする処理を行うようにする。
【０１２５】
すなわち、まず、カードアクセスがされているかどうかを判定し（ステップＳ８１）、カードアクセスがない場合はそのまま後述するステップＳ８３に進み、カードアクセスがある場合はアクセスされた画像ナンバーを表示する（ステップＳ８２）。
【０１２６】
そして、プリントスイッチが押されているか否かを判定し（ステップＳ８３）、押されていない場合は上記ステップＳ７１に飛ぶ。
【０１２７】
また、プリントスイッチが押されている場合には、画像情報の属性情報の再生を行い（ステップＳ８４）、この属性情報に基づいてメモリカード１５に記録されている画像が２値なのか多値なのかを判定する（ステップＳ８５）。
【０１２８】
記録されている画像が多値である場合には、メモリカード１５から画像データを読み出して、伸長回路１６により圧縮されているデータを伸長して、中間メモリ１２に多値画像を送ることにより再生を行って（ステップＳ８６）、その後、上記ステップＳ７３に行って、２値化してプリントアウトする。
【０１２９】
一方、上記ステップＳ８５においてメモリカード１５に記録されている画像が２値であると判定されると、画像が単純２値で記録されているか疑似中間調で記録されているかを判定する（ステップＳ８７）。
【０１３０】
単純２値で記録されている場合は、表１に基づいて状態判定を行い（ステップＳ８８）、内部プリンタ１９を制御するか外部プリンタ２０を制御するかを決定する。
【０１３１】
つまり、状態が１，３，５，９であると判定された場合には、濃度補正を行い（ステップＳ８９）、カード画像を外部プリンタ２０によりプリントして（ステップＳ９０）、上記ステップＳ６２に戻り上述した処理を繰り返す。
【０１３２】
また、上記ステップＳ８８において、状態が２，６であると判定された場合には、濃度補正を行い（ステップＳ９１）、カード画像を内部プリンタ１９によりプリントして（ステップＳ９２）、上記ステップＳ６２に戻り上述した処理を繰り返す。
【０１３３】
一方、上記ステップＳ８７において、画像が疑似中間調であると判定された場合は、メモリカード１５に入っている画像の記録時に２値ガンマ（γ）がどう設定されているかと、現在のプリンタおよびプリンタ用紙の組み合わせによる２値ガンマ（γ）が何に設定されているかを判定する（ステップＳ９３）。
【０１３４】
そして、記録時の２値ガンマと現在の２値ガンマが同じである場合には、上記ステップＳ８８へ行って画像をプリントする。
【０１３５】
また、記録時の２値ガンマと現在の２値ガンマが異なる場合には、エラーガンマ（ＥＲＲγ）等のアラームを例えばＬＣＤ２４に表示して（ステップＳ９４）、上記ステップＳ８８へ行って画像をプリントする。
【０１３６】
図１０は上記図５のステップＳ７における各種スイッチ処理の詳細を示すフローチャートである。
【０１３７】
この各種スイッチ処理に入ると（ステップＳ１０１）、まず操作スイッチ２６の取扱説明書のプリントを指示する取説スイッチが押されているかを判定し（ステップＳ１０２）、押されている場合は、後述する取扱説明書をプリントする処理を実行する（ステップＳ１０３）。
【０１３８】
取扱説明書のスイッチが押されていない場合、または取扱説明書をプリントする処理が終了した場合には、操作スイッチ２６の像モードスイッチが押されているかどうかを判定する（ステップＳ１０４）。
【０１３９】
像モードスイッチが押されている場合は、スイッチが押される毎に、オート（ＡＵＴＯ）と自然画と文字画を切り替える像モードの切替えを行い（ステップＳ１０５）、設定された像モードを例えばＬＣＤ２４に表示する（ステップＳ１０６）。
【０１４０】
像モードスイッチが押されていない場合、または上記ステップＳ１０６が終了した場合は、操作スイッチ２６の状態プリントスイッチが押されているかどうかを判定する（ステップＳ１０７）。
【０１４１】
状態プリントスイッチが押されていない場合はそのまま、押されている場合は状態プリント処理を実行した（ステップＳ１０８）後に、プリントスイッチが押されているかどうかを判定する（ステップＳ１０９）。
【０１４２】
プリントスイッチが押されていない場合は、濃度補正スイッチが押されているかどうかを判定し（ステップＳ１２１）、押されている場合には、濃度補正量設定処理を行う（ステップＳ１２２）。
【０１４３】
濃度補正スイッチが押されていない場合、または濃度補正量設定処理が終了した場合には、紙送りスイッチが押されているかどうかを判定する（ステップＳ１２３）。
【０１４４】
この紙送りスイッチは、後述する外部プリンタ２０の任意量送りスイッチ、カメラ本体の内部プリンタ１９の任意量送りスイッチ、または該カメラ本体のメモ量送りスイッチの何れかのスイッチが押されれば、オンされたと判定するようになっている。
【０１４５】
そして、紙送りスイッチが押されている場合は、紙送り処理を実行して（ステップＳ１２４）から、押されていない場合にはそのまま、次の処理に移行して、図示しない他のカメラモードの設定スイッチ、例えばセルフタイマモードや連写モードのスイッチの各スイッチの検出およびそれらの処理を行い、リターンする（ステップＳ１２５）。
【０１４６】
一方、上記ステップＳ１０９において、プリントスイッチが押されている場合は、まず、プリンタ状態の判定を行い（ステップＳ１１０）。その結果により表１に基づいて状態判定を行う（ステップＳ１１１）。
【０１４７】
判定した状態が４または７である場合には、内部プリンタ１９も外部プリンタ２０も両方とも使用不可能であるために、上記ステップＳ１２１に飛ぶ。
【０１４８】
また、上記ステップＳ１１１において状態が４でも７でもない場合には、電源をオンした後に一度でも撮影が行われたかを判定し（ステップＳ１１２）、撮影が行われていない場合には、中間メモリ１２に画像が記憶されていないために、上記ステップＳ１２１に飛ぶ。
【０１４９】
また、電源をオンした後に撮影が行われていた場合には、記録されている画像について２値モードの設定を行う（ステップＳ１１３）。
【０１５０】
そして、表１に基づいて状態判定を行い、内部プリンタ１９と外部プリンタ２０の何れを制御するかを判断する（ステップＳ１１４）。
【０１５１】
つまり、状態が１，３，５，９の何れかである場合には、２値ガンマを設定して（ステップＳ１１５）、濃度補正を行い（ステップＳ１１６）、中間メモリ１２の画像を外部プリンタ２０によりプリントして（ステップＳ１１７）、上記ステップＳ１２１へ行く。
【０１５２】
一方、上記ステップＳ１１４において、状態が２，６の何れかである場合には、内部プリンタ１９が選択されることになり、２値ガンマを設定して（ステップＳ１１８）、濃度補正を行い（ステップＳ１１９）、中間メモリ１２の画像を内部プリンタ１９によりプリントして（ステップＳ１２０）、上記ステップＳ１２１へ行く。
【０１５３】
図１１は紙送り処理を示すフローチャートである。
【０１５４】
この紙送り処理が始まると（ステップＳ１３１）、押されているスイッチがメモ量送りスイッチ４３ａ（図３参照）なのか任意量送りスイッチ４４（図３参照）なのかを判定する（ステップＳ１３２）。
【０１５５】
任意送りである場合は、内部プリンタ１９と外部プリンタ２０の何れの側のスイッチが押されたのかを判定する（ステップＳ１３３）。
【０１５６】
内部プリンタ１９側の任意量送りスイッチが押されている場合には、内部プリンタ１９の用紙を任意量送って（ステップＳ１３４）、ステップＳ１３６へ行く。
【０１５７】
外部プリンタ２０の任意量送りスイッチが押されている場合には、外部プリンタ２０の用紙を任意量送って（ステップＳ１３５）、ステップＳ１３６へ行く。
【０１５８】
また、上記ステップＳ１３２において、カメラ本体に設けられたメモ量送りスイッチが押されている場合には、表１に基づいて状態判定を行う（ステップＳ１３７）。
【０１５９】
状態が２または６であって内部プリンタ１９が選択されている場合には、内部プリンタ１９の用紙をメモ量分だけ送って（ステップＳ１３８）、ステップＳ１３６へ行く。
【０１６０】
一方、上記ステップＳ１３７において、状態が１，３，５，９の何れかである場合には、外部プリンタ２０の用紙をメモ量分だけ送って（ステップＳ１３９）、リターンする（ステップＳ１３６）。
【０１６１】
図１２は上記図１１の他の例を示したものである。
【０１６２】
上記図１１の動作は、上記図３に示したようにメモ量送りと任意量送りの２つのスイッチがある場合に対応したものであり、ステップＳ１３２においてこれらのスイッチの何れが押されたかを判断していた。これに対して、図４に示すように、任意量送りとメモ量送りの機能を１つの紙送りスイッチで兼用した場合についての動作を示すのがこの図１２である。
【０１６３】
すなわち、この紙送り処理に入ると、紙交換を行うための開閉蓋４０の開閉状態を判断し（ステップＳ１３２ａ）、開閉蓋４０が開いている場合には用紙を交換すると判断してステップＳ１３３側に分岐して任意送りを行い、一方、開閉蓋４０が閉まっている場合には使用中であると判断してステップＳ１３７側に分岐してメモ量送りを行う。
【０１６４】
図１３は任意量送りの処理を示すフローチャートである。
【０１６５】
この任意量送りの処理が始まると（ステップＳ１４０）、紙送りモータを低速モードにして（ステップＳ１４１）、紙送りスイッチが押されているかどうかを判断する（ステップＳ１４２）。
【０１６６】
押されている場合は、紙送りモータをオンにして（ステップＳ１４３）、上記ステップＳ１４２に戻り、紙送りスイッチが押されている間は、ステップＳ１４２，Ｓ１４３の動作を繰り返す。
【０１６７】
また、ステップＳ１４２において、紙送りスイッチが離された場合には、紙送りモータを停止して（ステップＳ１４４）、リターンする（ステップＳ１４５）。
【０１６８】
図１４はメモ量送りの処理を示すフローチャートである。
【０１６９】
このメモ量送りの処理が始まると（ステップＳ１５０）、まず、紙送りモードを高速送りのモードに切り換えて（ステップＳ１５１）、紙送りモータをオンにし（ステップＳ１５２）、用紙がメモ量分だけ、例えば３０ｍｍ送られているかどうかを判定する（ステップＳ１５３）。
【０１７０】
紙送りが３０ｍｍに達するまで、上記ステップＳ１５２に戻って、これらステップＳ１５２とステップＳ１５３を繰り返して行う。
【０１７１】
そして、紙送りが３０ミリに達した場合には、紙送りモータを停止して（ステップＳ１５４）、リターンする（ステップＳ１５５）。
【０１７２】
図１５は取扱説明書プリントの処理を示すフローチャートである。
【０１７３】
この取扱説明書プリントの処理が始まると（ステップＳ１６１）、操作スイッチ２６の取説スイッチの入力割り込みを許可して（ステップＳ１６２）、他のスイッチが押されているかどうかを検出する（ステップＳ１６３）。
【０１７４】
他のスイッチが何も押されていない場合は、取扱説明書の全頁をプリントする（ステップＳ１６４）。
【０１７５】
また、他のスイッチが押されている場合は、どのスイッチが押されているかを検出して（ステップＳ１６７）、押されているスイッチに対応した取扱説明書の該当する頁（または該当する項目）のみをプリントする（ステップＳ１６８）。
【０１７６】
上記ステップＳ１６４またはステップＳ１６８の何れかが終了したら、取説スイッチの割り込み入力を禁止して（ステップＳ１６５）、リターンする（ステップＳ１６６）。
【０１７７】
なお、取扱説明書をプリントしている間に取説スイッチの割り込み許可している理由は、取扱説明書をプリントするには時間がかかるために、プリントを途中で中断したい場合には、取説スイッチを再度操作することにより、プリントを中止することができるようにするためである。
【０１７８】
つまり、上記ステップＳ１６４またはステップＳ１６８において取扱説明書をプリント中に取説スイッチが押されると割り込み処理され（ステップＳ１７０）、プリントを中止して（ステップＳ１７１）、上記ステップＳ１６５に戻るようになっている。
【０１７９】
図１６はプリントアウトされた取扱説明書の内容の一例を示す図である。
【０１８０】
この場合には、カメラの各モード等の操作と、その操作を行うスイッチがどれであるかが並列してプリントされている。つまり、
１．ＲＥＣモード        ＲＥＣ／ＰＬＡＹスイッチ
２．ストロボモード、    ストロボモードスイッチ
３．２値化モード        ２値化モードスイッチ
４．像モード            像モードスイッチ
５．ＰＬＡＹモード      ＲＥＣ／ＰＬＡＹスイッチ
６．プリント            プリントスイッチ
７．即プリントモード    即プリントスイッチ
８．消去モード          ＥＲＡＳＥスイッチ
９．  ……                    ……
等のように記載されている。
【０１８１】
上記図１５のステップＳ１６４において、取扱説明書の全頁をプリントする場合には、これを１から順にプリントしていく。また、ステップＳ１６８において、該当する頁（または該当する項目）のみをプリントする場合には、例えばＲＥＣモードについてプリントしたい場合には１の項目だけを、またストロボモードについてプリントしたい場合に、２の項目だけをプリントすることになる。
【０１８２】
図１７は状態プリントの一例を示す図である。
【０１８３】
上記図１０のステップＳ１０８において状態プリントが行われると、例えばこの図１７に示すような内容がプリントされる。
【０１８４】
すなわち、まず機種とそのバージョンがプリントされ、次に、メイン電池とバックアップ電池のそれぞれの電池状態についてプリントされ、フォーカス位置についてプリントされ、露出についてシャッタ速度，絞り，ゲインがプリントされ、カレンダー時計情報として状態プリントを行っている現在の年月日、時分秒がプリントされ、内部プリンタ１９の情報と外部プリンタ２０の情報がプリントされ、装着されているメモリカード１５の種類とそこに記録されている各画像についての情報がプリントされる。
【０１８５】
上記撮影画像の情報としては、具体的には、撮影日時，シャッタ，絞り，ゲイン，データの種類などがプリントされる。なお、データの種類とは、２値であるか多値であるかあるいは疑似中間調である場合にはガンマの種類が何であるかなどである。
【０１８６】
なお、上述の実施形態においては、カメラに内蔵された内部プリンタと、カメラに接続して用いる外部プリンタとを有する場合について説明したが、本発明はこれに限定されるものではなく、外部プリンタが２台、もしくはそれ以上接続されている場合にも適用することができる。また、内部プリンタはカメラに着脱可能な一体プリンタでもよいし、メモリカードは内蔵固定式のメモリ等でもかまわない。
【０１８７】
このような実施形態によれば、カメラの状態、記録媒体の状態、プリンタの状態を総合的に判断して、その状態に応じた最適な動作を選択して実行することができるために、重要なシャッタチャンスを逃がす可能性を極力排することができる。
【０１８８】
すなわち、記録媒体に画像を記録することができない条件であっても、プリンタにより画像をプリントすることができる状態であるときには、警告しつつ撮影してプリントするために、即座に撮影を実行することができる。
【０１８９】
また、プリンタにより画像をプリントすることができない条件であっても、記録媒体に画像を記録することができる状態のときには、警告しつつ撮影して記録媒体に記録するために、即座に撮影を実行することができる。そして、記録媒体に記録を行っているために、プリンタのプリント準備が整い次第、画像プリントを実行することが可能である。
【０１９０】
さらに、撮影に先立つ操作の各段階毎に撮影可能条件の判定を行い、その結果により警告を行うために、撮影者が状況を判断することができて、適正な撮影操作を行うことができる。
【０１９１】
プリントを行う際に、自動的に各プリンタの状態を判定して内部プリンタか外部プリンタを選択するようにしたために、操作が簡単となって、取り扱いを間違えることがない。
【０１９２】
しかも、内部プリンタと外部プリンタの両方共がプリント可能な状態のときは、操作者が意識的に外部プリンタを接続したことに従って、外部プリンタを自動的に選択するようにしために、自然な操作感覚で撮影してプリントすることができる。
【０１９３】
即プリントスイッチを設けて撮影処理後にそのオン／オフ状態を検出し、オンである場合には画像をプリントし、オフである場合にはプリントを行うことなくメモリカードへ画像の記録を行うようにしたために、即プリントスイッチがオフの状態では連続撮影が可能となり、オンの状態では撮影後にすぐにプリント確認を簡単に行うことができる。
【０１９４】
プリントスイッチを設けて撮影後にそのオンを検出した場合には、再生モードにしなくても画像のプリントを行うようにしたために、即プリントスイッチがオフとなっている場合でも、プリントスイッチをオンにすると画像のプリントを簡単に行うことができて、少ない操作手順で必要時にのみプリント確認を行うことができる。
【０１９５】
紙送りスイッチとして任意量送りスイッチと一定量を送るメモ量送りスイッチの２種類を有するために、紙交換時は任意送りスイッチを操作し、メモ欄作成時には一定量送りスイッチを操作することにより、簡単に素早く紙送りを行うことができる。
【０１９６】
任意量送りは低速で用紙を送るために、紙交換時の位置合わせを行い易く、用紙を無駄にすることがない。また、一定量送りは高速で用紙を送るために、メモ欄を作るときも短時間で済む。
【０１９７】
任意量送りスイッチを紙交換するのに便利な位置に配置するとともに、一定量送るメモ量送りスイッチを操作パネルに配置しているために、紙交換時やメモ欄作成時に操作し易く、紙送りを短時間で済ませることができる。
【０１９８】
あるいは、１つの紙送りスイッチが開閉蓋の開閉により一定量送りと任意送りの２つの機能に切り換わるようにしたために、自然な操作で必要な紙送りをすることができて操作し易い。また、カメラの外装面上には１つのスイッチを設けるだけでよいために、省スペースを図ることができる。
【０１９９】
取扱説明書のプリントモードを設けたために、カメラ以外の印刷物としての取扱説明書を携帯する必要がなく、必要に応じていつでもどこでも取扱説明書の必要な部分をプリントして参照することができる。
【０２００】
取説スイッチと他のスイッチの２重押しをすることにより、そのスイッチに関する操作方法の項目のみをプリントすることが可能であるために、全ての取扱説明書を必要としない場合には、時間，用紙，電源等を無駄なく節約することができる。
【０２０１】
カメラ状態をプリントして同時に多くの情報を紙面上で一目で確認することができるために、確認が容易でありしかもそのまま情報として保存することもできる。
【０２０２】
［付記］
以上詳述したような本発明の上記実施形態によれば、以下のごとき構成を得ることができる。
【０２０３】
（１）  光学系により結像した被写体像を光電変換して画像信号を出力する撮像手段と、
上記撮像手段より出力された画像信号に所定の処理を施して画像情報となし、該画像情報を画像として再生可能な如く記録媒体に蓄積記録する記録再生手段と、
上記撮像手段より出力された画像信号に基づく画像乃至は上記記録媒体から上記記録再生手段によって再生された画像情報に基づく画像をプリントする内蔵の又は外部に接続したプリンタとを備えたカメラにおいて、
上記記録媒体に係る各種の状態を判定するための媒体状態判定手段と、
上記プリンタに係る各種の状態を判定するためのプリンタ状態判定手段と、
上記媒体状態判定手段と上記プリンタ状態判定手段による両判定結果の内容に応じて、撮影された被写体像に基づく画像信号を上記記録媒体又は上記プリンタの何れか一方又は双方に適応的に供給し、当該供給された方が所定の処理動作を実行するように制御する制御手段と、
を備えたことを特徴とするカメラ。
【０２０４】
（２）  上記カメラは警告手段を更に備え、
上記媒体状態判定手段が当該媒体に係る状態として画像情報の記録動作が不可能な状態にあると判定し、且つ、上記プリンタ状態判定手段が当該プリンタに係る状態としてプリント動作が可能な状態にあると判定したとき、
上記制御手段は撮影された被写体像に基づく画像信号を上記プリンタにのみ供給して所定の処理動作を実行させると共に上記警告手段に上記媒体に係る状態についての警告を行わせるようにしたことを特徴とする（１）のカメラ。
【０２０５】
（３）  上記カメラは警告手段を更に備え、
上記媒体状態判定手段が当該媒体に係る状態として画像情報の記録動作が可能な状態にあると判定し、且つ、上記プリンタ状態判定手段が当該プリンタに係る状態としてプリント動作が不可能な状態にあると判定したとき、
上記制御手段は撮影された被写体像に基づく画像信号を上記記録媒体にのみ供給して所定の処理動作を実行させると共に、上記警告手段に上記プリンタに係る状態についての警告を行わせるようにしたことを特徴とする（１）のカメラ。
【０２０６】
（４）  上記カメラは、撮影動作に必要とすべき撮影条件に係る構成の各種の状態を判定するためのカメラ状態判定手段を更に備え、
撮影開始を指示するためのトリガスイッチの操作によるトリガ信号発生前の段階で、上記媒体状態判定手段及び上記プリンタ状態判定手段はその判定動作を行い上記警告手段はその判定結果を報知し、
上記トリガ信号の発生に応動して、上記カメラ状態判定手段はその判定動作を開始し同警告手段はその判定結果を報知するようになされたことを特徴とする（２）又は（３）のカメラ。
【０２０７】
（５）  光学系により結像した被写体像を光電変換して画像信号を出力する撮像手段と、
上記撮像手段より出力された画像信号に所定の処理を施して画像情報となし、該画像情報を画像として再生可能な如く記録媒体に蓄積記録する記録再生手段と、
上記撮像手段より出力された画像信号に基づく画像乃至は上記記録媒体から上記記録再生手段によって再生された画像情報に基づく画像をプリントする内蔵の又は外部に接続したプリンタとを備えたカメラにおいて、
上記撮像手段より出力された画像信号に基づく画像乃至は上記記録媒体から上記記録再生手段によって再生された画像情報に基づく画像をプリントする更に別の外部プリンタを接続するための接続手段と、
上記プリンタ及び上記接続手段に接続された別の外部プリンタに係る各種の状態を判定するためのプリンタ状態判定手段と、
上記プリンタ状態判定手段による判定結果の内容に応じて、撮影された被写体像に基づく画像信号を上記プリンタ又は別の外部プリンタの何れかに選択して供給し、その選択されたプリンタが所定の処理動作を実行するように制御する制御手段と、
を備えたことを特徴とするカメラ。
【０２０８】
（６）  上記プリンタが内蔵のプリンタであって、
上記プリンタ状態判定手段が上記別の外部プリンタについて電源オフの状態にあることを判定したとき、
上記制御手段は上記別の外部プリンタを非選択の状態とすることを特徴とする（５）のカメラ。
【０２０９】
（７）  上記プリンタが内蔵のプリンタであって、
上記プリンタ状態判定手段が上記プリンタ及び上記別の外部プリンタの何れもプリント動作が可能な状態にあると判定したとき、
上記制御手段は上記別の外部プリンタを選択することを特徴とする（５）のカメラ。
【０２１０】
（８）  光学系により結像した被写体像を光電変換して画像信号を出力する撮像手段と、
上記撮像手段より出力された画像信号に所定の処理を施して画像情報となし、該画像情報を画像として再生可能な如く記録媒体に蓄積記録する記録再生手段と、
上記撮像手段より出力された画像信号に基づく画像乃至は上記記録媒体から上記記録再生手段によって再生された画像情報に基づく画像をプリントする内蔵の又は外部に接続したプリンタとを備えたカメラにおいて、
撮影開始のためのトリガ信号を発生するトリガ信号発生手段と、
上記トリガ信号発生手段から発生されたトリガ信号に応動する撮影動作の直後に上記プリンタが当該撮影画像をプリントし、上記記録再生手段が当該撮影画像に対応する画像情報を上記記録媒体に記録する第１のモードと、上記トリガ信号に応動する撮影動作の直後に上記プリンタがプリント動作を行うことなく上記記録再生手段が当該撮影画像に対応する画像情報を上記記録媒体に記録する第２のモードのうち何れかのモードで動作を行う制御手段と、
上記制御手段を上記第１のモード又は上記第２のモードの何れかのモードに切換設定するためのモード切換スイッチと、
を備えたことを特徴とするカメラ。
【０２１１】
（９）  上記カメラは、プリントスイッチを更に備え、
上記制御手段は、上記モード切換スイッチによって上記第２のモードが設定されているにもかかわらず上記プリントスイッチが操作されたことを検出すると、上記プリンタに対して当該撮影画像をプリントさせるように制御することを特徴とする（８）のカメラ。
【０２１２】
（１０）  光学系により結像した被写体像を光電変換して画像信号を出力する撮像手段と、
上記撮像手段より出力された画像信号に所定の処理を施して画像情報となし、該画像情報を画像として再生可能な如く記録媒体に蓄積記録する記録再生手段と、
上記撮像手段より出力された画像信号に基づく画像乃至は上記記録媒体から上記記録再生手段によって再生された画像情報に基づく画像をプリントする内蔵の又は外部に接続したプリンタとを備えたカメラにおいて、
上記プリンタの印字用紙をその操作量に対応する任意の量だけ送るための第１の紙送りスイッチと、
上記プリンタの印字用紙をその操作量にかかわらず一定の量だけ送るための第２の紙送りスイッチと
上記第１又は第２の紙送りスイッチの操作に基づいて、上記プリンタに対し各対応する分の量だけ印字用紙を送らせるように制御する制御手段と、
を備えたことを特徴とするカメラ。
【０２１３】
（１１）  上記制御手段は、上記第１の紙送りスイッチが操作されたことを検出するとプリント用紙を比較的低速で送り、又、上記第２の紙送りスイッチが操作されたことを検出するとプリント用紙を比較的高速で送るように制御することを特徴とする（１０）のカメラ。
【０２１４】
（１２）  上記第１の紙送りスイッチをプリント用紙交換部の近傍位置に配設すると共に上記第２の紙送りスイッチを撮影開始を指示するためのトリガスイッチの近傍位置に配設したことを特徴とする（１０）のカメラ。
【０２１５】
（１３）  上記カメラは、プリント用紙を交換自在に収容する収容部の開閉のための開閉蓋を更に備えており、
上記第１の紙送りスイッチと上記第２の紙送りスイッチとを共通の紙送りスイッチとなし、
上記制御手段は、上記開閉蓋の開閉状態を検出することによって上記共通の紙送りスイッチの機能を上記第１の紙送りスイッチ又は上記第２の紙送りスイッチの各機能の何れかに対応するように変更することを特徴とする（１０）のカメラ。
【０２１６】
（１４）  光学系により結像した被写体像を光電変換して画像信号を出力する撮像手段と、
上記撮像手段より出力された画像信号に所定の処理を施して画像情報となし、該画像情報を画像として再生可能な如く記録媒体に蓄積記録する記録再生手段と、
上記撮像手段より出力された画像信号に基づく画像乃至は上記記録媒体から上記記録再生手段によって再生された画像情報に基づく画像をプリントする内蔵の又は外部に接続したプリンタとを備えたカメラにおいて、
当該カメラの取扱い方を説明する取扱説明書を上記プリンタがプリント印字するための取扱説明書プリントモードであって、該取扱説明書プリントモードでの動作を行なう制御手段を備えたことを特徴とするカメラ。
【０２１７】
（１５）上記カメラは、上記取扱説明書プリントモードを設定するためのモード設定スイッチを更に備えており、
上記制御手段は、上記モード設定スイッチと他の操作スイッチとの同時操作が行われたことを検出すると当該操作された他の操作スイッチのみに関する取扱い方を説明した取扱説明書を上記プリンタでプリントさせるように制御することを特徴とする（１４）のカメラ。
【０２１８】
（１６）  光学系により結像した被写体像を光電変換して画像信号を出力する撮像手段と、
上記撮像手段より出力された画像信号に所定の処理を施して画像情報となし、該画像情報を画像として再生可能な如く記録媒体に蓄積記録する記録再生手段と、
上記撮像手段より出力された画像信号に基づく画像乃至は上記記録媒体から上記記録再生手段によって再生された画像情報に基づく画像をプリントする内蔵の又は外部に接続したプリンタとを備えたカメラにおいて、
撮影動作に必要とすべき撮影条件に係る構成の各種の状態を上記プリンタがプリントするためのカメラ状態プリントモードであって、該カメラ状態プリントモードでの動作を行なう制御手段を備えたことを特徴とするカメラ。
【０２１９】
上記（１）に記載の発明によれば、記録媒体やプリンタの状態に応じて、画像信号を記録媒体またはプリンタの何れか一方または双方に適応的に供給して、最適な処理動作を選択して実行することができ、シャッタチャンスを逃す可能性を極力排することができる。
【０２２０】
上記（２）に記載の発明によれば、（１）に記載の発明と同様の効果を奏するとともに、記録媒体への記録動作が不可能であっても、プリンタの動作が可能であれば撮影を行って画像をプリントすることができ、しかも、記録媒体に係る状態の警告が行われるために、操作がより確実となる。
【０２２１】
上記（３）に記載の発明によれば、（１）に記載の発明と同様の効果を奏するとともに、プリンタの動作が不可能であっても、記録媒体への記録動作が可能であれば撮影を行って記録することができ、しかも、プリンタに係る状態の警告が行われるために、操作がより確実となる。
【０２２２】
上記（４）に記載の発明によれば、（２）または（３）に記載の発明と同様の効果を奏するとともに、撮影開始を指示する前に記録媒体とプリンタの状態を確認することができ、撮影動作に応動して撮影に係るカメラの状態を確認することができるために、操作がさらに確実となる。
【０２２３】
上記（５）に記載の発明によれば、プリンタと別の外部プリンタの状態に応じて、画像信号をプリンタまたは別の外部プリンタの何れかに選択して供給することができ、最適な動作を実行することができて、シャッタチャンスを逃す可能性を極力排することができる。
【０２２４】
上記（６）に記載の発明によれば、（５）に記載の発明と同様の効果を奏するとともに、別の外部プリンタが電源オフである場合には自動的に非選択となるために、操作性が向上する。
【０２２５】
上記（７）に記載の発明によれば、（５）に記載の発明と同様の効果を奏するとともに、内蔵のプリンタと別の外部プリンタが何れも動作可能であるときは、自動的に別の外部プリンタを選択するために、操作者の自然な感覚に合致して、操作性が向上する。
【０２２６】
上記（８）に記載の発明によれば、撮影後にプリントして記録媒体への記録を行う第１のモードと、プリントを行うことなく記録媒体への記録を行う第２のモードとをモード切換スイッチの動作により設定することができるために、操作に必要な動作を少なくすることができて、シャッタチャンスを逃す可能性を極力排することができる。
【０２２７】
上記（９）に記載の発明によれば、（８）に記載の発明と同様の効果を奏するとともに、第２のモードが設定されている場合にも、プリントスイッチを操作することにより画像をプリントすることができて、操作性が向上する。
【０２２８】
上記（１０）に記載の発明によれば、第１の紙送りスイッチと第２の紙送りスイッチを使い分けることにより、操作に手間取ることなく、必要に応じた適当な分量の用紙を送ることができて、シャッタチャンスを逃す可能性を極力排することができる。
【０２２９】
上記（１１）に記載の発明によれば、（１０）に記載の発明と同様の効果を奏するとともに、第１の紙送りスイッチが操作された場合には用紙を比較的低速で送るようにしたために、所望する送り量に調整するのが容易となり、また、第２の紙送りスイッチが操作された場合には用紙を比較的高速で送るようにしたために、紙送りに要する時間が短縮されて、操作性が向上する。
【０２３０】
上記（１２）に記載の発明によれば、（１０）に記載の発明と同様の効果を奏するとともに、第１の紙送りスイッチと第２の紙送りスイッチを操作内容に応じた適切な位置に配設したために、より操作をし易くなる。
【０２３１】
上記（１３）に記載の発明によれば、（１０）に記載の発明と同様の効果を奏するとともに、単一の紙送りスイッチを、開閉蓋の開閉状態に応じて、第１の紙送りスイッチまたは第２の紙送りスイッチとして機能するようにしたために、操作性が良くしかもコストとスペースを削減することができる。
【０２３２】
上記（１４）に記載の発明によれば、取扱説明書を持ち歩かなくても必要に応じてプリントすることができるために、カメラの取り扱い操作が分からなくても参照することができて、シャッタチャンスを逃す可能性を極力排することができる。
【０２３３】
上記（１５）に記載の発明によれば、（１４）に記載の発明と同様の効果を奏するとともに、取扱説明書の内の必要な操作スイッチに関する部分のみをプリントすることができるために、用紙の浪費を抑制し、プリントに要する時間も短縮することができる。
【０２３４】
上記（１６）に記載の発明によれば、撮影に係るカメラの状態をプリントすることができるために、撮影した画像情報の管理が容易となり、しかもそのまま保存することができて便利である。
【０２３５】
【発明の効果】
以上説明したように、本発明のカメラによれば、記録媒体への記録動作が不可能であっても、プリンタの動作が可能であれば撮影を行って画像をプリントすることができ、しかも、記録媒体に係る状態の警告が行われるために、操作がより確実となる。
【図面の簡単な説明】
【図１】本発明の一実施形態のカメラ全体の構成を示すブロック図。
【図２】上記実施形態において、内部プリンタまたは外部プリンタのプリンタ部の構成を示すブロック図。
【図３】上記実施形態において、カメラに設けられた紙送りスイッチの配置を示す斜視図。
【図４】上記図３のカメラにおいて、任意量送りとメモ量送りの機能を１つの紙送りスイッチで兼用した例を示す斜視図。
【図５】上記実施形態のカメラのメインルーチン動作を示すフローチャート。
【図６】上記実施形態のカメラのプリンタ状態判定についての詳細を示すフローチャート。
【図７】上記実施形態のカメラの媒体状態判定の詳細を示すフローチャート。
【図８】上記実施形態のカメラのＲＥＣ処理の詳細を示すフローチャート。
【図９】上記実施形態のカメラの再生処理の詳細を示したフローチャート。
【図１０】上記実施形態のカメラの各種スイッチ処理の詳細を示すフローチャート。
【図１１】上記実施形態のカメラの紙送り処理を示すフローチャート。
【図１２】上記図１１の動作を上記図４の構成に合わせた例を示すフローチャート。
【図１３】上記実施形態のカメラの任意量送りの処理を示すフローチャート。
【図１４】上記実施形態のカメラのメモ量送りの処理を示すフローチャート。
【図１５】上記実施形態のカメラの取扱説明書プリントの処理を示すフローチャート。
【図１６】上記実施形態において、プリントアウトされた取扱説明書の内容の一例を示す図。
【図１７】上記実施形態において、状態プリントの一例を示す図。
【符号の説明】
２…レンズ（光学系）
４…ＣＣＤ（撮像手段）
６…撮像部（記録再生手段）
７…８ビットＡ／Ｄ変換器（記録再生手段）
１２…中間メモリ（記録再生手段）
１３…圧縮回路（記録再生手段）
１４…カードインタフェース（接続手段）
１５…メモリカード（記録媒体）
１６…伸長回路（記録再生手段）
１８…プリンタインタフェース（接続手段）
２３…ＣＰＵ（制御手段，媒体状態判定手段，プリンタ状態判定手段，カメラ状態判定手段）
２４…ＬＣＤ（警告手段）
２６…操作スイッチ（トリガ信号発生手段を含む）
３４…感熱紙（用紙）
４０…開閉蓋
【図１】
0003828190.tif 000003
【図２】
0003828190.tif 000004
【図３】
0003828190.tif 000005
【図４】
0003828190.tif 000006
【図５】
0003828190.tif 000007
【図６】
0003828190.tif 000008
【図７】
0003828190.tif 000009
【図８】
0003828190.tif 000010
【図９】
0003828190.tif 000011
【図１０】
0003828190.tif 000012
【図１１】
0003828190.tif 000013
【図１２】
0003828190.tif 000014
【図１３】
0003828190.tif 000015
【図１４】
0003828190.tif 000016
【図１５】
0003828190.tif 000017
【図１６】
0003828190.tif 000018
【図１７】
0003828190.tif 000019